(57)【特許請求の範囲】
【請求項１】
複数の物品を個別に仕切りながら収納箱内に直列に並んで収納させる収納箱の仕切片構造において、
薄板の基板の上下方向の中途位置で左右に延びて基板を上方の仕切本体部と下方の底板部とに二分する横折曲線と、
前記仕切本体部で、基板の左右方向の中途位置で上端から中途位置まで上下に延びる縦折曲線と、該縦折曲線の下端から前記横折曲線の端部まで円弧状に延びる切込線と、該切込線の下端から横折曲線の延長線に沿って上下が切り離された側に形成される仕切片部と、反対側に形成される背板片部と、
前記底板部に、縦折曲線の延長線上で前記横折曲線から下端まで延びる底板スリットによって分離される底片部とからなっており、
前記仕切片部に斜めに延びる嵌込み口部を穿設し、
隣接する底片部を分離する底板スリットが、一方の底片部に他方の底片部に向かって突出する横折曲線に近い後方凸部を形成し、他方の底片部に一方の底片部に向かって突出する横折曲線から離れた前方凸部を形成してなり、
前記仕切片部を縦折曲線に沿って背板片部に対して直角に折り曲げ、各底片部を横折曲線に沿って斜めに折り曲げた際に前記後方凸部が嵌込み口部の後方に嵌合し、前記前方凸部が嵌込み口部の前方に嵌合してなり、
前記切込線に隣接した部分に、嵌込み口部の傾斜方向の延長上に配置された掛止段部を介して大径の円弧部が形成されており、
仕切片部の下端に、前記大径の円弧部の下端と接して係止片部が形成されており、
底板スリットが、後方凸部より横折曲線に近い側に、隣接する底片部が水平姿勢に変位すると組み合わさって前記係止片部を嵌合する係止孔部を形成しており、
該係止孔部の横折曲線に近い口縁部が、底片部を傾斜してその後方凸部又は前方凸部を前記嵌込み口部に係止した際には、前記掛止段部に係止するようになっており、
物品の荷重がかかった底片部の前記後方凸部又は前方凸部だけが嵌込み口部の係合を外れるようになっていることを特徴とする収納箱の仕切片構造。
【請求項２】
仕切本体部が中央に背板片部を有し、該背板片部の左右に縦折曲線と切込線を介してそれぞれ仕切片部を設けており、
底板部が、中央の底片部と左右両端の底片部とからなり、
中央の底片部の左右の側縁部にそれぞれ後方凸部または前方凸部が形成されていることを特徴とする請求項１に記載の収納箱の仕切片構造。
【請求項３】
中央で二つ折りされた両側の面が折曲線を中心にして対称となる一対の基板からなっており、対向する仕切片部の上部が切り離されていることを特徴とする請求項１または２に記載の収納箱の仕切片構造。
【発明の詳細な説明】
【技術分野】
【０００１】
この発明は、複数の物品を個別に仕切りながら収納箱内に直列に並んで収納させるための収納箱の仕切片構造の改良に関する。
【背景技術】
【０００２】
従来、壜類などを梱包するために梱包箱内で壜類などがぶつかりあうのを防止するための仕切板の構造として、例えば、実開昭６０−１５８１７号では、薄板状の基材を重ね合わせて形成した仕切壁と、隣接する壜類間を仕切るように仕切壁のそれぞれの面からそれぞれが同じ幅に形成して切り起こされた仕切フィンと、前記それぞれの仕切壁の下部から折り曲げ形成され、前記仕切フィンの脚部を係止する係止部が施された一対の底板と、一方の底板と他方の底板とで長手方向の側端よりの突出方向が異なるように連設された衝当部とを備えた構成が開示されている。
これにより、梱包箱内に壜類を挿入する前の空の状態では、仕切フィンが直角に折れ曲がった仕切位置で、底板を上向きに斜めに折り曲げて底板の係止部を仕切フィンに係止して、仕切フィンを仕切位置に拘束することができる。
また、壜類の挿入に際しては、壜類を一度にまとめて挿入することで、壜類の重さで底板と各仕切フィンとの係合が同時に外れ、前記底板は水平状態となり、各仕切フィンは壜類の間に介在する仕切として機能する。
また、前記底板の係合部は底板が水平になった際にも前記仕切フィンの脚部下端と嵌合して仕切フィンを仕切位置に拘束する。
しかし、壜類を収納する際には、底板は一体に形成されているので、直列状に並ぶ壜類を別々に挿入すると、最初に挿入された壜類で底板が押し下げられてしまう。
特に、２つの仕切フィンで空間を３つに仕切る場合には、いずれかの空間に壜類が最初に挿入されると、底板には壜類が載置された側にのみ荷重がかかりながら一気に倒れるので、全体が水平面にならない場合があり、壜類と接しない残りの２つの仕切フィンを仕切位置に保持できない虞れがある。
そのため、壜類は、底板に同時に接するように挿入しなければならず、任意の仕切空間に適宜順番で壜類を収納することができないという不具合があった。
また、仕切フィンの脚部下端は、係合部に嵌合させるため、底板を折り曲げる下部折曲線より底板側に係合部に嵌合する長さ分だけ突出して形成する必要があった。
【先行技術文献】
【特許文献】
【０００３】
【特許文献１】実開昭６０−１５８１７号公報
【発明の概要】
【発明が解決しようとする課題】
【０００４】
この発明は、上記事情に鑑みて創案されたものであって、その主たる課題は、収納物品の挿入順序に関係なく仕切位置を一定に保持することができる収納箱の仕切片構造を提供することにある。
【課題を解決するための手段】
【０００５】
この発明は、上記課題を解決するために、請求項１の発明では、
複数の物品を個別に仕切りながら収納箱内に直列に並んで収納させる収納箱の仕切片構造において、
薄板の基板の上下方向の中途位置で左右に延びて基板を上方の仕切本体部と下方の底板部とに二分する横折曲線と、
前記仕切本体部で、基板の左右方向の中途位置で上端から中途位置まで上下に延びる縦折曲線と、該縦折曲線の下端から前記横折曲線の端部まで円弧状に延びる切込線と、該切込線の下端から横折曲線の延長線に沿って上下が切り離された側に形成される仕切片部と、反対側に形成される背板片部と、
前記底板部に、縦折曲線の延長線上で前記横折曲線から下端まで延びる底板スリットによって分離される底片部とからなっており、
前記仕切片部に斜めに延びる嵌込み口部を穿設し、
隣接する底片部を分離する底板スリットが、一方の底片部に他方の底片部に向かって突出する横折曲線に近い後方凸部を形成し、他方の底片部に一方の底片部に向かって突出する横折曲線から離れた前方凸部を形成してなり、
前記仕切片部を縦折曲線に沿って背板片部に対して直角に折り曲げ、各底片部を横折曲線に沿って斜めに折り曲げた際に前記後方凸部が嵌込み口部の後方に嵌合し、前記前方凸部が嵌込み口部の前方に嵌合してなり、
前記切込線に隣接した部分に、嵌込み口部の傾斜方向の延長上に配置された掛止段部を介して大径の円弧部が形成されており、
仕切片部の下端に、前記大径の円弧部の下端と接して係止片部が形成されており、
底板スリットが、後方凸部より横折曲線に近い側に、隣接する底片部が水平姿勢に変位すると組み合わさって前記係止片部を嵌合する係止孔部を形成しており、
該係止孔部の横折曲線に近い口縁部が、底片部を傾斜してその後方凸部又は前方凸部を前記嵌込み口部に係止した際には、前記掛止段部に係止するようになっており、
物品の荷重がかかった底片部の前記後方凸部又は前方凸部だけが嵌込み口部の係合を外れるようになっていることを特徴とする。
請求項２の発明では、
仕切本体部が中央に背板片部を有し、該背板片部の左右に縦折曲線と切込線を介してそれぞれ仕切片部を設けており、
底板部が、中央の底片部と左右両端の底片部とからなり、
中央の底片部の左右の側縁部にそれぞれ後方凸部または前方凸部が形成されていることを特徴とする。
請求項３の発明では、
中央で二つ折りされた両側の面が折曲線を中心にして対称となる一対の基板からなっており、対向する仕切片部の上部が切り離されていることを特徴とする。
【発明の効果】
【０００６】
この発明の収納箱の仕切片構造では、物品の挿入前であっても、仕切片部は傾斜した底片部のストッパ機能によって予め所定の仕切位置及び形状を保つことができ、梱包作業を容易に行うことができる。
物品を挿入することで前記底片部のストッパが外れるが、挿入されない空間は独立した底片部のストッパ機能によって仕切位置及び形状を保持することができる。
また、底片部の底板スリットに沿って係止孔を設けることで、底片部を傾斜して仕切片部に掛け止めた際には底片部のストッパ機能の一部となり、底片部が水平姿勢に戻ると仕切片部の位置を拘束するための係止構造として機能する。
【図面の簡単な説明】
【０００７】
【図１】実施例１の仕切片構造に用いるブランクの展開図である。
【図２】仕切片部に底片部を斜めに掛け止めた状態の斜視図である。
【図３】同仕切片の収納箱への取付状態を示す分解斜視図である。
【図４】（ａ）は一方の底片部のみ水平に戻り他方の底片部は掛止められた状態を示す斜視図、（ｂ）は双方の底片部が水平に戻った状態を示す斜視図である。
【図５】実施例２の仕切片構造に用いるブランクの展開図である。
【図６】仕切片部に底片部を斜めに掛け止めた状態の斜視図である。
【図７】表裏に対向する仕切片構造を設けた場合の異なる実施例を示すブランクの展開図である。
【発明を実施するための形態】
【０００８】
この発明は、仕切位置に対応して底片部を分離し、各底片部を傾斜した際に独立して仕切片部に係脱しうるようにして、物品の挿入順序に影響されることなく仕切片部を仕切位置に保持することを実現した。
【実施例１】
【０００９】
［仕切片］
図１から図４に示す仕切片構造は、収納箱３０内を２つに仕切って、物品を直列に並んで収納させる場合に用いる構成からなっている。
仕切片１は、紙又は合成樹脂からなる段ボール、厚紙、薄板等からなる基板１Ａを用いており、その上下方向の中途位置で左右に延びて基板１Ａを上方の仕切本体部１０と下方の底板部２０とに二分する谷折り用の横折曲線Ｌ１が設けられてる。
【００１０】
[仕切片部]
前記仕切本体部１０は、基板１Ａの左右方向の中途位置（図示例では中央）で上端から中途位置まで上下に延びる縦折曲線１１と、該縦折曲線の下端から前記横折曲線の端部まで略１／４円の円弧状に延びる切込線１２と、該切込線１２の下端から前記横折曲線Ｌ１の延長線に沿って上下が切り離された側に形成される仕切片部１３と、前記縦折曲線１１の反対側に形成される背板片部１９とからなっている。
【００１１】
［嵌込み口部］
仕切片部１３は、下部が円弧状に切り欠かれた略矩形からなっており、下方寄りに斜めに延びる長孔からなる嵌込み口部１４を穿設している。
[底板部]
前記底板部２０には、前記縦折曲線１１の延長線上で前記横折曲線Ｌ１から下端まで延びる底板スリット２１によって分離された２つの底片部２５からなっている。
【００１２】
［底板スリット］
隣接する底片部２５を分離する底板スリット２１は、横折曲線Ｌ１と接する位置を起点として、前記縦折曲線１１の延長線上に延びる直線部２１ａを有している。
また、直線部２１ａの先端側には、一方の底片部２５に他方の底片部（説明の便宜上２５’とする。）に向かって突出する後方凸部２２を形成し、他方の底片部２５’に一方の底片部２５に向かって突出する前方凸部２３を形成している。
【００１３】
そして、前記仕切片部１３を縦折曲線１１に沿って背板片部１９に対して直角に折り曲げた際に、嵌込み口部１４が、各底片部２５を横折曲線Ｌ１に沿って斜め上向きに折り曲げた際に前記後方凸部２２が嵌込み口部１４の後方に嵌合し、前記前方凸部２３が嵌込み口部１４の前方に嵌合する。
【００１４】
図示例の場合、背板片部１９に対応する底片部２５には後方凸部２２が形成され、仕切片部１３に対応する底片部２５’には前方凸部２３が形成されている。
そして、仕切片部１３は、縦折曲線１１を谷折りして背板片部１９に対して直角に折り曲げる。
【００１５】
また、前記２つの底片部２５、２５’を横折曲線Ｌ１に沿って谷折りして斜め上向きに折り曲げ、所定の傾斜位置で、前記底片部２５、２５’に形成された後方凸部２２と前方凸部２３とを前記仕切片部１３の嵌込み口部１４に左右両側からそれぞれ嵌め込む。
【００１６】
前記後方凸部２２と前方凸部２３とは前後にずれているので、長孔の嵌込み口部１４内で相互に重なることなく、別々に独立して掛け止められる。  
このように底片部２５が仕切片部１３に係止された状態で、図３に示したように、収納箱３０内に挿入され、仕切片部１３で仕切られた空間を形成する。
【００１７】
そこで、物品を仕切片部１３で仕切られた空間に挿入すると、物品の荷重が底片部２５（又は２５’）にかかり、上記底片部２５に一体に設けられた後方凸部２２又は前方凸部２３だけが嵌込み口部１４から外れて、底片部２５（又は２５’）が元の水平姿勢まで戻る。
物品の荷重がかからない底片部２５’（又は２５）は、そのまま掛止状態を維持するので、仕切片部１３は直角の仕切位置を維持することができる。
これにより、物品を複数ある仕切空間のいずれに先に挿入しても仕切片部２５が揺動したり変位することがない（図４（ａ）参照）。
【００１８】
[切込線]
また、前記切込線１２は、１／４円の円弧状からなるが、嵌込み口部１４の傾斜方向の延長上に掛止段部１５が形成されており、該掛止段部１５を介して大径の円弧部１６が形成されている。
図示例では、切込線１２と同心に延びる線１２ａと掛止段部１５と円弧部１６ｂとで囲まれた部分は円弧状の切欠部１７となっているが、切欠は設けなくてもよい（図１参照）。
【００１９】
一方、仕切片部１３の下端に、前記大径の円弧部１６の下端と接して係止片部１８が形成されている。
該係止片部１８は、後述の係止孔２６に嵌合可能な形状となっており、仕切片部１３の底片部２５から切り離された底辺を切り欠いて形成されている。
【００２０】
係止孔２６は、底板スリット２１に沿って形成されており、後方凸部２２より横折曲線に近い側に、隣接する底片部２５が水平姿勢に変位すると組み合わさって前記係止片部１８を嵌合する矩形の孔部からなっている。
即ち、底板スリット２１の直線部２１ａを矩形の長手辺とし、仕切片部１３に対向する底片部２５’側へ矩形に切り欠いた形状となっている。
【００２１】
そして、上記底片部２５’側へ矩形に切り欠いた係止孔２６の横折曲線に近い口縁部２６ａが、底片部２５’を傾斜してその前方凸部２３を前記嵌込み口部１４に係止した際には、前記掛止段部１５に係止するようになっている。
【００２２】
また、隣接する底片部２５が下降して水平姿勢に戻ると、底板スリット２１の直線部２１ａと後方凸部２２とが組み合わされて係止孔２６が形成され、前述のように該係止孔２６に係止片部１８が突入する（図４（ｂ）参照）。
【００２３】
なお、嵌込み口部１４から外れた後方凸部２２および前方凸部２３は水平面を形成し、仕切片部１３の係止片部１８より上に切りかかれた底辺部分と衝合する。
これにより、物品を収納箱から外に取り出した場合であっても、仕切片部１３の姿勢を仕切位置に拘束することができる。
【実施例２】
【００２４】
上記実施例では、仕切片部１３が１つであって２つの収納空間を仕切る場合を説明したが、仕切片部１３を２つ設けて３つの収納空間を仕切る構造としてもよい。
図５及び図６に示す仕切片構造は、仕切本体部１０が、中央に背板片部１９を有し、該背板片部１９の左右に縦折曲線１１と切込線１２を介してそれぞれ仕切片部１３を一対に設けている。
【００２５】
これに伴い、底板部２０は、中央の底片部２５と左右両端の底片部（説明の便宜上、２５’とする）とからなる３連の底片部を有している。
そして、中央の底片部２５の左右の側縁部にそれぞれ後方凸部２２または前方凸部２３が形成される。
【００２６】
図示例の場合、底片部２５の左右の側縁部には後方凸部２２がそれぞれ形成されている。
その他の構成は前記実施例１と同様であって、同一構成には同一符号を付してその説明を省略する。
【実施例３】
【００２７】
図７に示す仕切構造は、基板１Ａが中央で二つ折りされ、その両側の面に前記実施例の仕切片構造が設けられている。
図示例では、実施例２の仕切片構造を前後対象に設けた場合を例示したが、実施例１の仕切片構造を用いてもよい。
【００２８】
この場合、基板１Ａの長手方向の中央で二つ折りする個所で、背板片部１９の上部には山折り線からなる中央横折曲線Ｌ２が設けられ、左右の仕切片部１３の上部は分離線Ｌ３で分離されている。
【００２９】
実施例１の構造の場合も同様で、背板片部１９の上部には山折り線からなる中央横折曲線Ｌ２が設けられ、仕切片部１３の上部は分離線Ｌ３で分離されていればよい。
その他の構成は、前記各実施例と同様であるので、その説明を省略する。
この発明は上記実施例に限定されるものではなく、発明の要旨を変更しない範囲で種々設計変更しうるものである。
【符号の説明】
【００３０】
１    仕切片
１Ａ  基板
１０    仕切本体部
１１    縦折曲線
１２    切込線
１２ａ  同心に延びる線
１３    仕切片部
１４    嵌込み口部
１５    掛止段部
１６    円弧部
１７    切欠部
１８    係止片部
１９    背板片部
２０    底板部
２１    底板スリット
２１ａ  直線部
２２    後方凸部
２３    前方凸部
２５    底片部
２６    係止孔
２６ａ  口縁部
Ｌ１    横折曲線
Ｌ２    中央横折曲線
Ｌ３    分離線
３０    収納箱
【図１】
0005581128.tif 000002
【図２】
0005581128.tif 000003
【図３】
0005581128.tif 000004
【図４】
0005581128.tif 000005
【図５】
0005581128.tif 000006
【図６】
0005581128.tif 000007
【図７】
0005581128.tif 000008